(57)【要約】【課題】光源が放射した光を有効利用できる導光体を提供することである。【解決手段】導光体本体４２は、端面Ｓ１，Ｓ２及び側面Ｓ３を有し、かつ、ｙ軸方向に延在している。突起部４４は、端面Ｓ４及び側面Ｓ５を有し、かつ、端面Ｓ１からｙ軸の負方向に向かって突出している。光源５０が、突起部４４のｙ軸の負方向側の端部Ｓ４に取り付けられる。光源５０が放射した光の一部が、突起部４４の側面Ｓ５から突起部４４外に出射した後、端面Ｓ１から導光体本体４２内に入射する。【選択図】図３
2014011152.tif 000002
【特許請求の範囲】
【請求項１】
第１の端面、第２の端面及び該第１の端面と該第２の端面とを接続する第１の側面を有し、かつ、該第１の端面から該第２の端面に向かう所定方向に延在している導光体本体と、
前記所定方向の反対方向側に位置する第３の端面及び該第３の端面に接続されている第２の側面を有し、かつ、前記第１の端面から該所定方向の反対方向に向かって突出している突起部と、
を備えており、
光源が、前記第３の端面に対して光を放射し、
前記光源が放射した光の一部が、前記第２の側面から該突起部外に出射した後、前記第１の端面から前記導光体本体内に入射すること、
を特徴とする導光体。
【請求項２】
前記突起部の前記所定方向に直交する断面は、該所定方向に行くにしたがって、大きくなっていること、
を特徴とする請求項１に記載の導光体。
【請求項３】
前記突起部は、前記所定方向に行くにしたがって、直径が大きくなる円錐台状をなしていること、
を特徴とする請求項２に記載の導光体。
【請求項４】
前記第１の端面の法線ベクトルの前記所定方向に直交する直交方向における成分は全て、前記突起部に向かっていること、
を特徴とする請求項１ないし請求項３のいずれかに記載の導光体。
【請求項５】
前記第３の端面は、前記光源が収容される凹部を形成していること、
を特徴とする請求項１ないし請求項４のいずれかに記載の導光体。
【請求項６】
前記光源が放射した光は、前記第３の端面を介して前記突起部内に入射すること、
を特徴とする請求項５に記載の導光体。
【請求項７】
前記第３の端面は、曲面をなしていること、
を特徴とする請求項６に記載の導光体。
【請求項８】
前記第３の端面は、球面をなしており、
前記光源は、前記球面の中心に配置されること、
を特徴とする請求項７に記載の導光体。
【請求項９】
前記第３の端面は、平面をなしていること、
を特徴とする請求項６に記載の導光体。
【請求項１０】
前記光源が放射した光の内の前記所定方向に最も大きな角度をなす方向に進行する光が、前記第２の側面から該突起部外に出射した後、前記第１の端面から前記導光体本体内に入射すること、
を特徴とする請求項１ないし請求項９のいずれかに記載の導光体。
【請求項１１】
前記光源が放射した光の内の前記所定方向に最も大きな角度をなす方向に進行する光は、前記第１の側面に臨界角以上の角度で入射すること、
を特徴とする請求項１０に記載の導光体。
【請求項１２】
前記導光体本体は、前記第１の側面に設けられ、かつ、前記導光体本体内の光を該導光体本体外に向けて反射させる反射部を有していること、
を特徴とする請求項１ないし請求項１１のいずれかに記載の導光体。
【発明の詳細な説明】
【技術分野】
【０００１】
本発明は、導光体に関し、より特定的には、画像読み取り装置に用いられる導光体に関する。
【背景技術】
【０００２】
従来の導光体を備えた光源装置としては、例えば、図８に示す光源装置５００が知られている。図８は、従来の導光体５０２を備えた光源装置５００の断面構造図である。
【０００３】
光源装置５００は、図８に示すように、導光体５０２、光源５０４及び反射部材５０６を備えている。導光体５０２は、透明樹脂からなり、図８の左右方向に延在している。導光体５０２の下面には、導光体５０２内の光を上方へと反射するプリズムが形成されている。光源５０４は、導光体５０２の左端に対向している。また、反射部材５０６は、導光体５０２と光源５０４との隙間を囲んでいる。
【０００４】
以上のように構成された光源装置５００では、光源５０４が放射した光は、導光体５０２の左端を介して導光体５０２内に入射する。この際、導光体５０２と光源５０４との隙間から光源装置５００外に漏れようとする光は、反射部材５０６において反射して導光体５０２の左端から導光体５０２内に入射する。導光体５０２内に入射した光は、導光体５０２内において全反射を繰り返しながら右方向に進行し、導光体５０２に形成されているプリズムにおいて上方に向けて反射する。光源装置５００では、反射部材５０６が設けられているので、導光体５０２と光源５０４との隙間から光源装置５００外に光が漏れることが抑制される。
【０００５】
ところで、光源装置５００では、反射部材５０６を用いて、光の漏れを抑制している。反射部材５０６は、光を反射する際に光の一部を吸収する。そのため、光源装置５００では、光源５０４が放射した光を有効利用できない。
【０００６】
なお、従来の導光体に関する発明としては、例えば、特許文献１に記載の照明光学系が知られている。該照明光学系では、反射部材を用いることなく全反射により導光手段内に光を閉じ込めている。しかしながら、特許文献１に記載の照明光学系では、光は、導光手段の長手方向の一端から入射しているのではなく、導光手段の下面から入射している。そのため、特許文献１には、長手方向の一端から光が入射する導光体において、光源が放射した光を有効利用することについての記載は存在しない。
【先行技術文献】
【特許文献】
【０００７】
【特許文献１】特開２００５−１２３６７５号公報
【発明の開示】
【発明が解決しようとする課題】
【０００８】
そこで、本発明の目的は、長手方向の一端から光が入射する導光体であって、光源が放射した光を有効利用できる導光体を提供することである。
【課題を解決するための手段】
【０００９】
本発明の一形態に係る導光体は、第１の端面、第２の端面及び該第１の端面と該第２の端面とを接続する第１の側面を有し、かつ、該第１の端面から該第２の端面に向かう所定方向に延在している導光体本体と、前記所定方向の反対方向側に位置する第３の端面及び該第３の端面に接続されている第２の側面を有し、かつ、前記第１の端面から該所定方向の反対方向に向かって突出している突起部と、を備えており、光源が、前記第３の端面に対して光を放射し、前記光源が放射した光の一部が、前記第２の側面から該突起部外に出射した後、前記第１の端面から前記導光体本体内に入射すること、を特徴とする。
【発明の効果】
【００１０】
本発明の導光体によれば、光源が放射した光を有効利用できる。
【図面の簡単な説明】
【００１１】
【図１】本発明の一実施形態に係る導光体を備えた画像読み取り装置の構成図である。
【図２】光源装置の導光体の外観斜視図である。
【図３】光源装置のＡ−Ａにおける断面構造図である。
【図４】第１の変形例に係る導光体を備えた光源装置の断面構造図である。
【図５】第２の変形例に係る導光体を備えた光源装置の断面構造図である。
【図６】第３の変形例に係る導光体を備えた光源装置の断面構造図である。
【図７】第４の変形例に係る導光体の断面構造図である。
【図８】従来の導光体を備えた光源装置の断面構造図である。
【発明を実施するための形態】
【００１２】
以下に、本発明の一実施形態に係る導光体を備えた画像読み取り装置について説明する。
【００１３】
（画像読み取り装置の構成）
図１は、本発明の一実施形態に係る導光体を備えた画像読み取り装置１０の構成図である。以下では、鉛直方向をｚ軸と定義し、スライダーユニット１８，２０の移動方向（すなわち、副走査方向）をｘ軸と定義する。そして、ｘ軸及びｚ軸に直交する方向（すなわち、主走査方向）をｙ軸と定義する。
【００１４】
画像読み取り装置１０は、図１に示すように、本体１２、原稿カバー１４、プラテンガラス１６、スライダーユニット１８，２０、結像レンズ２２及び撮像素子２４を備えている。
【００１５】
本体１２は、原稿カバー１４、プラテンガラス１６、スライダーユニット１８，２０、結像レンズ２２及び撮像素子２４が設けられている直方体状の筐体である。プラテンガラス１６は、本体１２のｚ軸の正方向側に設けられている開口に取り付けられている長方形状の透明板である。原稿Ｐは、プラテンガラス１６の上面に、読み取り面をｚ軸の負方向側に向けた状態で載置される。
【００１６】
原稿カバー１４は、図１に示すように、原稿Ｐ上に覆いかぶさることにより、原稿Ｐをプラテンガラス１６に密着させる働きをする。
【００１７】
スライダーユニット１８は、原稿Ｐが読み取られているときに、図１に示すように、原稿Ｐに沿って、図示しないモーター、ベルト及びプーリー等の移動手段により、ｘ軸の正方向側に向かって速度Ｖで移動させられる。スライダーユニット１８は、図１に示すように、光源装置２７及びミラー２８，２９を含んでいる。
【００１８】
光源装置２７は、原稿Ｐ及びミラー２８に向けて光を放射し、例えば、ＬＥＤ及び導光体の組み合わせにより構成される。光源装置２７の詳細については後述する。ミラー２８は、光源装置２７が放射した光を原稿Ｐに向けて反射させる。ミラー２９は、図１に示すように、原稿Ｐにおいて反射した光Ｂをｘ軸の負方向側（スライダーユニット１８のスライド方向の一方側）に反射する。
【００１９】
スライダーユニット２０は、原稿Ｐが読み取られているときに、図１に示すように、原稿Ｐに沿って、図示しないモーター、ベルト及びプーリー等の移動手段により、ｘ軸の正方向側に向かって速度Ｖ／２で移動させられる。スライダーユニット２０は、ミラー３０，３２を含んでいる。
【００２０】
ミラー３０は、ミラー２９において反射した光Ｂをｚ軸の負方向側に反射させる。ミラー３２は、ミラー３０において反射した光Ｂをｘ軸の正方向側に反射させる。
【００２１】
結像レンズ２２は、光Ｂによって得られる光学像を撮像素子２４に結像させる。撮像素子２４は、ミラー３２において反射した光Ｂを受光する受光素子である。具体的には、撮像素子２４は、ｙ軸に延びる一次元状の撮像領域を有し、結像レンズ２２によって結像された光学像を走査して原稿Ｐの像を読み取るＣＣＤカメラ等のラインセンサである。
【００２２】
（光源装置の構成）
以下に、光源装置２７の構成について図面を参照しながら説明する。図２は、光源装置２７の導光体４０の外観斜視図である。図３は、光源装置２７のＡ−Ａにおける断面構造図である。図３において、ｙ軸を中心として反時計回りにｘ軸及びｚ軸を約４５度回転させて得られる軸をそれぞれ、Ｘ軸及びＺ軸と呼ぶ。Ｚ軸は、光源装置２７が原稿Ｐに向かって光を放射する方向と一致している。
【００２３】
光源装置２７は、図２及び図３に示すように、導光体４０、光源５０及び回路基板５２を備えている。
【００２４】
導光体４０は、図２及び図３に示すように、導光体本体４２及び突起部４４を備えている。導光体本体４２は、端面Ｓ１，Ｓ２及び側面Ｓ３を有する円柱状の透明部材である。端面Ｓ１は、導光体本体４２のｙ軸の負方向側に位置する円形の面である。端面Ｓ２は、導光体本体４２のｙ軸の正方向側に位置する円形の平面である。側面Ｓ３は、端面Ｓ１と端面Ｓ２とを接続する曲面である。このように、導光体本体４２は、端面Ｓ１から端面Ｓ２に向かう方向（すなわち、ｙ軸の正方向に向かって）に延在している。
【００２５】
また、導光体４０は、図３に示すように、反射部４６を有している。反射部４６は、側面Ｓ３のＺ軸の負方向側の部分に設けられており、ｙ軸に並ぶ複数のプリズムにより構成されている。各プリズムは、Ｘ軸方向から平面視したときに三角形状をなしている。これにより、反射部４６は、導光体本体４２内の光を導光体本体４２外に向けて反射する。本実施形態では、反射部４６は、光をＺ軸の正方向側に反射させて原稿Ｐに向けて光を放射すると共に、光をｘ軸の負方向側に反射させてミラー２８に向けて光を放射する。なお、反射部４６は、プリズムに限らず、白色樹脂面であってもよく、白色樹脂面による拡散反射を行ってもよい。
【００２６】
突起部４４は、端面Ｓ１の中心からｙ軸の負方向側に向かって突出している。突起部４４のｙ軸に直交する断面は、ｙ軸の正方向側に行くにしたがって、大きくなっている。本実施形態では、突起部４４は、ｙ軸の正方向側に行くにしたがって直径が大きくなる円錐台状をなしている。また、突起部４４の中心軸は、導光体本体４２の中心軸と一致している。
【００２７】
また、突起部４４は、図２及び図３に示すように、端面Ｓ４及び側面Ｓ５を有している。端面Ｓ４は、突起部４４のｙ軸の負方向側の面である。側面Ｓ５は、突起部４４の端面Ｓ４に接続された側面である。端面Ｓ４は、図３に示すように、ｙ軸の正方向側に窪んだ凹部を形成する曲面である。本実施形態では、端面Ｓ４は球面をなしている。
【００２８】
回路基板５２は、光源５０を駆動するための駆動回路が設けられた基板であり、矩形状の平板である。回路基板５２は、ｙ軸に対して垂直となるように突起部４４の端面Ｓ４に対向して配置されている。なお、光源５０が設けられた基板と別に駆動回路が設けられた基板が導光体４０の外部に設けられ、光源５０が設けられた基板にケーブルを介して接続されていてもよい。
【００２９】
光源５０は、例えば、ＬＥＤにより構成され、回路基板５２のｙ軸の正方向側の主面上に実装されている。光源５０は、図３に示すように、端面Ｓ４により形成されている凹部内に収容されている。光源５０の発光面は、球面状をなす端面Ｓ４の中心に配置されている。更に、端面Ｓ４により形成される凹部内には透明樹脂が充填されている。なお、凹部内には透明樹脂の代わりに空気層が存在していてもよい。光源５０は、ｙ軸の正方向側、Ｚ軸の正方向側及び負方向側、並びに、Ｘ軸の正方向側及び負方向側にに向けて光を放射する。すなわち、光源５０は、ｙ軸を中心として１８０度の角度の範囲内に向けて光を放射する。光源５０が放射した光は、図３に示すように、端面Ｓ４を介して突起部４４内に入射する。
【００３０】
以下に、光源装置２７における光の経路の詳細について図３を参照しながら説明する。
【００３１】
光源５０は、ｙ軸を中心として１８０度の角度の範囲内に向けて光を放射する。そして、側面Ｓ５に対して空気層と導光体４０との臨界角以上の角度で入射した光Ｂ１は、図３に示すように、側面Ｓ５において反射され、導光体本体４２内に入射する。この後、光Ｂ１は、導光体本体４２の側面Ｓ３において全反射を繰り返しながら、反射部４６に到達する。そして、光Ｂ１は、反射部４６によりＺ軸の正方向側又はｘ軸の負方向側に反射されて、導光体４０外へと出射する。なお、光Ｂ１の一部は、側面Ｓ３において全反射されることなく、直接に反射部４６に反射されて、導光体４０外へと出射する。
【００３２】
また、側面Ｓ５に対して空気層と導光体４０との臨界角より小さな角度で入射した光Ｂ２は、側面Ｓ５から突起部４４外に出射する。突起部４４は、ｙ軸の正方向側に行くにしたがって太くなる円錐台状をなしている。そのため、光Ｂ２が側面Ｓ５において屈折し、光Ｂ２の進行方向はｙ軸の正方向側に倒れる。そして、光Ｂ２は、端面Ｓ１から導光体本体４２内に入射する。この後、光Ｂ２は、導光体本体４２の側面Ｓ３において全反射を繰り返しながら、反射部４６に到達する。そして、光Ｂ２は、反射部４６によりＺ軸の正方向側又はｘ軸の負方向側に反射されて、導光体４０外へと出射する。なお、光Ｂ２の一部は、側面Ｓ３において全反射されることなく、直接に反射部４６に反射されて、導光体４０外へと出射する。
【００３３】
また、光源５０が放射した光の内のｙ軸の正方向に最も大きな角度をなす方向に進行する光Ｂ０は、突起部４４の側面Ｓ５から突起部４４外に出射する。本実施形態では、光源５０が放射した光の内のｙ軸の正方向に最も大きな角度をなす方向に進行する光Ｂ０は、光源５０がｙ軸に直交する方向（すなわち、Ｚ軸方向）に向けて放射した光である。突起部４４は、ｙ軸の正方向側に行くにしたがって太くなる円錐台状をなしている。そのため、光Ｂ０が側面Ｓ５において屈折し、光Ｂ０の進行方向はｙ軸の正方向側に倒れる。これにより、光Ｂ０は、端面Ｓ１に向かって進行し、端面Ｓ１から導光体本体４２内に入射する。この後、光Ｂ０は、導光体本体４２の側面Ｓ３において全反射を繰り返しながら、反射部４６に到達する。そして、光Ｂ０は、反射部４６によりＺ軸の正方向側又はｘ軸の負方向側に反射されて、導光体４０外へと出射する。なお、光Ｂ０の一部は、側面Ｓ３において全反射されることなく、直接に反射部４６に反射されて、導光体４０外へと出射する。
【００３４】
ここで、光Ｂ０は、Ｚ軸の正方向側の側面Ｓ３に対して、空気層と導光体４０との臨界角以上の角度で入射することが好ましい。これにより、光Ｂ０が側面Ｓ３において全反射されるようになり、光源５０から放射されＺ軸の正方向側の側面Ｓ３に入射した光の全てが、側面Ｓ３において全反射されるようになる。
【００３５】
（効果）
本実施形態に係る導光体４０によれば、従来の反射部材を用いた光源装置５００に比べて、光源５０が放射した光を有効利用できる。より詳細には、光源５０は、突起部４４の端面Ｓ４に取り付けられている。そのため、光源５０が放射した光は、突起部４４に入射する。そして、突起部４４に入射した光は、光Ｂ１のように突起部４４の側面Ｓ５において全反射するか、又は、光Ｂ０，Ｂ２のように側面Ｓ５及び端面Ｓ１において屈折することによって、導光体本体４２内に導かれている。よって、光源５０が放射した光は、反射部材によって反射されることなく、全反射又は屈折によって導光体本体４２内に導かれている。全反射及び屈折によって生じる光の損失は、反射部材の反射によって生じる光の損失よりも小さい。よって、導光体４０によれば、光源５０が放射した光を有効利用できる。
【００３６】
また、導光体４０によれば、以下の理由によっても、光源５０が放射した光を有効利用できる。より詳細には、光源５０が放射した光の内のｙ軸の正方向に最も大きな角度をなす方向に進行する光Ｂ０は、突起部４４の側面Ｓ５から突起部４４外に出射した後、端面Ｓ１から導光体本体４２内に入射している。これにより、光源５０が放射した光は全て、導光体本体４２に入射するようになる。すなわち、光源５０と導光体本体４２との間において光が漏れることが抑制される。その結果、導光体４０によれば、光源５０が放射した光を有効利用できる。
【００３７】
また、導光体４０によれば、以下の理由によっても、光源５０が放射した光を有効利用できる。より詳細には、光Ｂ０は、Ｚ軸の正方向側の側面Ｓ３に対して、空気層と導光体４０との臨界角以上の角度で入射することが好ましい。これにより、光Ｂ０が側面Ｓ３において全反射されるようになる。よって、光源５０から放射されＺ軸の正方向側に入射した光の全てが、側面Ｓ３において全反射されるようになり、側面Ｓ３において全反射することなく導光体本体４２外へと出射することが抑制される。その結果、導光体４０によれば、光源５０が放射した光を有効利用できる。
【００３８】
また、導光体４０によれば、以下の理由によっても、光源５０が放射した光を有効利用できる。より詳細には、光源５０から放射された光は、突起部４４に入射し屈折又は全反射により導光体本体４２内へ導かれる。これにより、反射部４６に到達する光が多くなる。その結果、反射部４６において反射されて原稿Ｐ及びミラー２８に向かって放射される光の量が多くなる。一方、反射部４６において反射されずに端面Ｓ２から導光体４０外に放射される光の量が少なくなる。その結果、導光体４０によれば、光源５０が放射した光を有効利用できる。
【００３９】
また、導光体４０によれば、導光体本体４２のＺ軸方向の幅を小さくすることができる。より詳細には、突起部４４は、ｙ軸の正方向側に行くにしたがって径が大きくなる円錐台状をなしている。これにより、側面Ｓ５は、ｙ軸に対して傾斜している。そのため、突起部４４外へ出射する光Ｂ０，Ｂ２は、側面Ｓ５においてｙ軸の正方向に倒れるように屈折する。よって、突起部４４外へ出射する光がＺ軸方向に広がることが抑制される。その結果、Ｚ軸方向の幅が小さい導光体本体４２を用いることが可能となる。
【００４０】
（第１の変形例）
以下に、第１の変形例に係る導光体４０ａについて図面を参照しながら説明する。図４は、第１の変形例に係る導光体４０ａを備えた光源装置２７の断面構造図である。
【００４１】
導光体４０ａは、端面Ｓ１の形状において導光体４０と相違する。より詳細には、導光体４０では、端面Ｓ１は、図３に示すように、ｙ軸に垂直な平面であった。一方、導光体４０ａでは、端面Ｓ１は、図４に示すように、突起部４４に向かって傾斜している。より詳細には、端面Ｓ１の法線ベクトルＶのＺ軸成分ＶＺは全て、突起部４４（すなわち、端面Ｓ１の中心）に向かっている。更に、端面Ｓ１は、ｙＺ断面において、直線をなしている。これにより、導光体４０ａにおける光Ｂ０，Ｂ２は、導光体４０における光Ｂ０，Ｂ２に比べて端面Ｓ１に入射しやすくなる。よって、導光体４０ａでは、導光体４０よりも更に光源５０が放射した光を有効利用できる。更に、導光体４０ａにおける光Ｂ０，Ｂ２が端面Ｓ１に入射する位置は、導光体４０における光Ｂ０，Ｂ２が端面Ｓ１に入射する位置よりも近い。よって、導光体４０ａでは、導光体４０よりも導光体本体４２のＺ軸方向の幅を小さくできる。
【００４２】
また、導光体４０ａでは、端面Ｓ１は、図４に示すように、突起部４４に向かって傾斜している。これにより、導光体４０ａにおける光Ｂ０、Ｂ２がＺ軸の正方向側の側面Ｓ３に入射する入射角は、導光体４０における光Ｂ０，Ｂ２がＺ軸の正方向側の側面Ｓ３に入射する入射角よりも小さくなる。そのため、導光体４０ａにおける光Ｂ０，Ｂ２は、導光体４０における光Ｂ０，Ｂ２よりも反射部４６に向けて反射されやすい。その結果、反射部４６において反射されて原稿Ｐ及びミラー２８に向かって放射される光の量が多くなる。
【００４３】
（第２の変形例）
以下に、第２の変形例に係る導光体４０ｂについて図面を参照しながら説明する。図５は、第２の変形例に係る導光体４０ｂを備えた光源装置２７の断面構造図である。
【００４４】
導光体４０ｂは、端面Ｓ４が形成している凹部の形状において導光体４０と相違する。より詳細には、導光体４０の端面Ｓ４は球面状の凹部を形成していた。一方、導光体４０ｂの端面Ｓ４は直方体状の凹部を形成している。これにより、端面Ｓ４が平面をなすようになる。そのため、図４に示すように、光Ｂ２は、端面Ｓ４を通過する際に屈折するようになる。よって、端面Ｓ４により形成されている凹部内に充填する樹脂の屈折率や凹部の形状を調整することによって、光Ｂ２の進行方向を調整することが可能となる。例えば、凹部内に充填する樹脂の屈折率を導光体４０の屈折率よりも高くすれば、光Ｂ２は、ｙ軸の正方向側に倒れるように屈折する。そのため、導光体４０ｂにおける光Ｂ２は、導光体４０における光Ｂ２に比べて端面Ｓ１に入射しやすくなる。よって、導光体４０ｂでは、導光体４０よりも更に光源５０が放射した光を有効利用できる。更に、導光体４０ｂにおける光Ｂ２が端面Ｓ１に入射する位置は、導光体４０における光Ｂ２が端面Ｓ１に入射する位置よりも近い。よって、導光体４０ｂでは、導光体４０よりも導光体本体４２のＺ軸方向の幅を小さくできる。
【００４５】
（第３の変形例）
以下に、第３の変形例に係る導光体４０ｃについて図面を参照しながら説明する。図６は、第３の変形例に係る導光体４０ｃを備えた光源装置２７の断面構造図である。
【００４６】
導光体４０ｃは、端面Ｓ１の形状において導光体４０ａと相違する。より詳細には、導光体４０ａでは、端面Ｓ１は、ｙＺ断面において、直線をなしている。一方、導光体４０ｃでは、端面Ｓ１は、ｙＺ断面において、曲線である。このような導光体４０ｃにおいても、光源５０が放射した光を有効利用できる。
【００４７】
（第４の変形例）
以下に、第４の変形例に係る導光体４０ｄについて図面を参照しながら説明する。図７は、第４の変形例に係る導光体４０ｄの断面構造図である。
【００４８】
導光体４０ｄは、突起部４４’を更に備えている点において、導光体４０と相違する。突起部４４’は、図７に示すように、端面Ｓ２に設けられている。これにより、導光体４０ｄのｙ軸方向の両側から光を入射させることが可能となる。このような導光体４０ｄにおいても、光源５０が放射した光を有効利用できる。
【００４９】
（その他の実施形態）
本発明に係る導光体は、前記導光体４０，４０ａ〜４０ｄに限らず、その要旨の範囲内において変更可能である。
【００５０】
なお、導光体４０，４０ａ〜４０ｄでは、光源５０が放射した光の内のｙ軸の正方向に最も大きな角度をなす方向に進行する光Ｂ０は、突起部４４の側面Ｓ５から突起部４４外に出射し、端面Ｓ１から導光体本体４２内に入射する。しかしながら、光源５０が放射した光の少なくとも一部が、突起部４４の側面Ｓ５から突起部４４外に出射し、端面Ｓ１から導光体本体４２内に入射していればよい。すなわち、導光体４０，４０ａ〜４０ｄは、側面Ｓ５から突起部４４外に出射した光が、端面Ｓ１から導光体本体４２に入射するように構成されていればよい。これにより、側面Ｓ５から出射した光が有効利用されるようになる。
【００５１】
なお、光源５０は、ｙ軸を中心として１８０度の角度の範囲内に向けて光を放射するとしているが、１８０度以下の角度の範囲内に向けて光を放射してもよい。
【産業上の利用可能性】
【００５２】
以上のように、本発明は、導光体に有用であり、特に、光源が放射した光を有効利用できる点で優れている。
【符号の説明】
【００５３】
４０，４０ａ〜４０ｄ  導光体
４２  導光体本体
４４，４４’  突起部
４６  反射部
５０  光源
５２  回路基板
【図１】
2014011152.tif 000003
【図２】
2014011152.tif 000004
【図３】
2014011152.tif 000005
【図４】
2014011152.tif 000006
【図５】
2014011152.tif 000007
【図６】
2014011152.tif 000008
【図７】
2014011152.tif 000009
【図８】
2014011152.tif 000010